(57)【要約】【課題】カップ本体と把手とを一体成形し、製品の流通時や保管時には、積み重ねてコンパクトにスタックするとともに、把手を使用直前に組み立て、使用後には復元できるようにした薄肉の把手付カップを提供すること。【解決手段】胴周壁と胴下端壁、底部周壁と底壁からなるカップ本体と、胴下端壁の下面、または底部周壁の周面に連設された折り曲げ、復元可能とした把手とからなることを特徴とする。【選択図】  図１
2004182247.tif 000002
【特許請求の範囲】
【請求項１】
胴周壁と胴下端壁、底部周壁と底壁からなるカップ本体と、胴下端壁の下面、または底部周壁の周面に連設された折り曲げ、復元可能とした把手とからなることを特徴とする把手付カップ。
【請求項２】
把手は、胴下端壁下面に連設された接続部と、接続部に連設され、水平方向に延びる把持部とからなり、
接続部の中間部と把持部の基端部に、折り曲げ、復元可能とした切欠け溝が刻設されていることを特徴とする請求項１記載の把手付カップ。
【請求項３】
把手は、底部周壁の周面に連設された接続部と、接続部に連設され、水平方向に延びる把持部とからなり、
把持部の基端部に、折り曲げ、復元可能とした二つの切欠け溝が刻設されていることを特徴とする請求項１記載の把手付カップ。
【請求項４】
切欠け溝が、薄肉の底部を残し、ほぼ三角形状に形成されていることを特徴とする請求項２，３記載の把手付カップ。
【請求項５】
把手の把持部先端に係止片が設けられ、カップ本体の胴周壁の上端に係止孔を穿孔したフランジが設けられていることを特徴とする請求項１〜４記載の把手付カップ。
【発明の詳細な説明】
【０００１】
【発明の属する技術分野】
本発明は、把手付カップ、とくに把手を折り曲げ可能とし、組立、折りたたみ自在とした把手付カップに関する。
【０００２】
【従来の技術】
飲料用の保温カップとして、カップ本体と把手を別体としてそれぞれスタック可能とするように成形し、多数のカップをコンパクトに収納できるようにしたものは、従来より知られている（例えば、特許文献１参照。）。
また、把手付カップとして、把手形成部を囲むように切り溝を入れ、剥離可能としたフィルムをインサートしてカップを射出成形し、把手成形部をカップ本体から引き出し把手とすることも、従来より知られている（例えば、特許文献２参照。）。
【０００３】
【特許文献１】
特許第２６２２８１６号公報
【特許文献２】
特許第２９７１１３０号公報
【０００４】
【発明が解決しようとする課題】
上記特許文献１記載の保温カップは、カップ本体と把手を別体として成形しており、生産コストが高くなるという問題があった。
また、把手とカップ本体が別個になっているので、使用前に把手を紛失したり、見失ったりするおそれもあった。
【０００５】
後者の特許文献２記載の容器は、把手を形成する部分のフィルムをインサートしてカップを成形するようにしており、フィルムを前もって別途製造し、またインサートするために金型も複雑になるので、コストが高くなるという問題があった。
【０００６】
本発明は、上記の問題点を解決することを課題とし、カップ本体と把手とを一体成形し、製品の流通時や保管時には、積み重ねてコンパクトにスタックするとともに、把手を使用直前に組み立て、使用後には復元できるようにした薄肉の把手付カップを提供することを目的とする。
【０００７】
【課題を解決するための手段】
本発明は、上記の課題を解決するため、把手付カップとして、胴周壁と胴下端壁、底部周壁と底壁からなるカップ本体と、胴下端壁の下面、または底部周壁の周面に連設された折り曲げ、復元可能とした把手とからなることを特徴とする構成を採用する。
【０００８】
把手の具体的な実施態様として、把手は、胴下端壁下面に連設された接続部と、接続部に連設され、水平方向に延びる把持部とからなり、接続部の中間部と把持部の基端部に折り曲げ、復元可能とした切欠け溝が刻設されていることを特徴とする構成、或いは、把手は、底部周壁の周面に連設された接続部と、接続部に連設され、水平方向に延びる把持部とからなり、把持部の基端部に、折り曲げ、復元可能とした二つの切欠け溝が刻設されていることを特徴とする構成を採用する。
【０００９】
接続部と把持部の切欠け溝の実施態様として、切欠け溝が、薄肉の底部を残し、ほぼ三角形状に形成されていることを特徴とする構成を採用する。
【００１０】
組立後の把手を安定的に係止するため、把手の把持部先端に係止片が設けられ、カップ本体の胴周壁の上端に係止孔を穿孔したフランジが設けられていることを特徴とする構成を採用する。
【００１１】
【発明の実施の形態】
次に、本発明の実施形態について、図面を参照して説明する。
図１〜３において、Ａはカップ本体、Ｂはカップ本体と一体成形された把手である。
【００１２】
カップ本体Ａは、テーパーを付した円錐状の胴周壁１と該胴周壁の下端から内方に突出する環状の胴下端壁２、および該胴下端壁２の内周縁から垂設された底部周壁３と底壁４とからなっている。
胴周壁１上部には、段部５が設けられ、その上方には、上端にフランジ６を設けた開口周壁７が形成されている。
フランジ６の定位置には、係止孔８が穿孔されており、係止孔８に隣接してストッパー９が垂設されている。
【００１３】
把手Ｂは、図３，４に示すように、カップ本体Ａと一体成形され、容器本体Ａとの接続部１０と、該接続部１０に連設され、周方向に延びる弓形の把持部１１とからなっている。
接続部１０は、カップ本体Ａの胴下端壁２下面で、フランジ６のストッパー９に対応する位置に垂設されており、その下方には、把持部１１の延びる方向の一側面から頂角を約９０度以上とした三角形状の切欠け溝１２が薄肉の底部１２ａを残して刻設され、その下端には水平面上で周方向に延びる把持部１１の基端が接続されている。
【００１４】
把持部１１は、ほぼ半円に達する弓形に形成されており、把持部１１の基端部１３に近接して、外周の側面の側から頂角を約９０度としたほぼ三角形状の切欠け溝１４が薄肉の底部１４ａを残して刻設されている。
把持部１１の中間部には、握り部１５が設けられ、先端１６には、径方向に突出するよう係止片１７が突設されている。
【００１５】
弓形の把持部１１は、その外周の円弧半径は胴周壁１下端の半径より小さく、胴周壁１の円周内に位置しており、また把持部１１は、カップ本体Ａの底壁４の底面より上方に位置するように配設されている。
【００１６】
把手Ｂの組立にあたっては、まず始めに、図５に示すように、切欠け溝１４の底部１４ａを軸として、把持部１１を外方に廻動させると、把持部１１は、径方向面上で、三角形の切欠け溝１４の対向する溝面が接するまで折曲して、切欠け溝１４の底部１４ａを中心に約９０度廻動する。
【００１７】
次いで、図６に示すように、接続部１０の切欠け溝１２の底部１２ａを軸にして、把持部１１をカップ軸線に平行する平面上で約９０度廻動すると、把持部１１先端は、開口周壁７の周面に接触するとともに、把持部１１の側面がストッパー９に当接し、係止片１７が係止孔８に嵌挿されて位置決めされ、図１に示す把手付カップが得られる。
【００１８】
次に、本実施形態カップの使用態様と作用効果について説明する。
本発明の把手付カップは、把手Ｂとカップ本体Ａは一体になっているので、一回の射出成形で把手付カップが成形され、生産コストが低廉にすることができる。
【００１９】
また、把手Ｂの把持部１１は弓形で、その円弧半径は、胴周壁１の下端半径より小さく、底壁４の底面より上になるので、成形時の把手Ｂは胴周壁１の内周内に納まり、積み重ねた場合に、把手付カップを、図７に示すように、コンパクトにスタックすることができる。
【００２０】
把手Ｂの組立は、前述のように、把持部１１を外方に引っ張り出し、次いで、上方に廻動させ、係止片１７をカップ本体Ａの係止孔８に嵌挿させることによって、簡単に組み立てられる。
【００２１】
キャンプやピクニック等に、積み重ね状態でコンパクトにして持ち運ぶことができ、使用にあたって、把手付容器として、熱い飲料でも、冷たい飲料でも把手を掴むことによってカップを把持し、内容物を飲むことができる。
そして、使用後には、カップを洗って把手を元の状態に戻すと、再び積み重ねてしまって置くことができる。
【００２２】
キャンプやピクニックで使用する場合には、必要数だけもっていくとよいので荷物を少なくすることができ、また、家庭や屋外パーティ等で使用する場合にも、一つのカップを何度も使用できるので、資源の節減にもなる。
【００２３】
次に、カップ本体の形状を変更した第２実施形態について説明する。
本実施形態は、カップ本体の形状を簡単にしたもので、図８に示すように、把手付カップは、カップ本体Ａａと把手Ｂａとからなっており、カップ本体Ａａは、上端にフランジ２０を設けた円筒状または円錐状の胴周壁２１と、環状の胴下端壁２２、底部周壁２３と底壁２４とからなっている。
フランジ２０には、係止孔２５が穿孔され、その端部に隣接してストッパー２６が設けられている。
【００２４】
把手Ｂａは、第１実施形態と同一のもので、カップ本体Ａａと一体に成形され、胴下端壁２２の下面に連設されている。
【００２５】
本実施形態では、円錐状の胴周壁２１のテーパー角度を変えることによって、容易に積み重ねることができる。
その他の点では第１実施形態と同様の作用効果を得ることができる。
【００２６】
次に、把手の構成を変更した第３実施形態について説明する。
本実施形態は、把手の接続部を底部周壁に連設するようにしたものである。
以下、前記第１実施形態と同一の構成には、同一の符号に添字ｂを付して図示するにとどめ、相違点を中心に説明する。
【００２７】
図９において、Ａｂはカップ本体で、前記第１実施形態と同一の構成のものであり、Ｂｂは把手である。
把手Ｂｂは、カップ本体Ａｂの底部周壁３ｂの周面から径方向水平に突出するよう連設された接続部１０ｂと、該接続部１０ｂから周方向に延び、ほぼ半円に達する弓形の把持部１１ｂとからなっている。
把持部１１ｂの基端部１３ｂには、接続部１０ｂに近接して、把持部１１ｂ上面から頂角を約９０度としたほぼ三角形状の切欠け溝３０が、薄肉の底部３０ａを残して刻設されており、該切欠け溝３０に近接して、把持部１１ｂ外周面の側から頂角を約９０度としたほぼ三角形状の切欠け溝３１が薄肉の底部３１ａを残して刻設されている。
【００２８】
把手Ｂｂの組立は、前記実施形態と同様に、まず、切欠け溝３１の底部３１ａを軸として、把持部１１ｂを外方に約９０度廻動させて折り曲げ、次いで折り曲げた把持部１１ｂを切欠け溝３０の底部３０ａを軸として、カップ軸線に平行する平面上で約９０度廻動させると、把持部１１ｂ先端が開口周壁７ｂの周面に接触するとともに、把持部１１ｂの側面がストッパー９ｂに当接し、係止片１７ｂが係止孔８ｂに嵌挿されて位置決めされ、把手Ｂｂが組み立てられる。
【００２９】
本実施形態の把手付カップの使用態様は、前記実施形態のものと同様であり、その作用効果も前記実施形態のものと同様である。
【００３０】
【発明の効果】
本発明は、上記のように構成されているから、次の効果を奏する。
把手とカップ本体は一体になっているので、一回の射出成形で完成品が成形され、生産コストを低廉にすることができる。
【００３１】
また、把手の把持部を、胴周壁の半径より小さくすることにより、成形時の把手は胴周壁の下端内周内に納まり、積み重ねた場合に、把手付カップをコンパクトにスタックすることができる。
【００３２】
カップ使用時の把手の組立は簡単であり、また使用後に折りたたんでしまって置くことができ、何度も使用できるのでプラスチック材料の節減になる。
【図面の簡単な説明】
【図１】本発明把手組立時の把手付カップの斜視図である。
【図２】把手組立前の把手付カップの一部断面正面図である。
【図３】把手付カップの説明図で、（ａ）は側面図、（ｂ）は底面図である。
【図４】把手付カップの要部の拡大説明図で、（ａ）は図３ａ部の拡大図、（ｂ）は図３ｂ部の拡大図である。
【図５】把手の把持部の水平方向折り曲げ時の説明図で、（ａ）は正面図、（ｂ）は底面図である。
【図６】把持部の上方廻動時の説明図で、（ａ）は底面図、（ｂ）は側面図、（ｃ）は要部の拡大図である。
【図７】把手付カップのスタック時の説明図である。
【図８】第２実施形態の把手付カップの説明図で、（ａ）は正面図、（ｂ）は断面正面図である。
【図９】第３実施形態の把手付カップの説明図で、（ａ）は側面図、（ｂ）は底面図である。
【符号の説明】
Ａ、Ａａ、Ａｂ    カップ本体
Ｂ、Ｂａ、Ｂｂ    把手
１、１ｂ、２１    胴周壁
２、２ｂ、２２    胴下端壁
３、３ｂ、２３    底部周壁
４、２４          底壁
５                段部
６、２０          フランジ
７、７ｂ          開口周壁
８、８ｂ、２５    係止孔
９、９ｂ、２６    ストッパー
１０、１０ｂ      接続部
１１  １１ｂ      把持部
１２、１４、３０、３１    切欠け溝
１３、１３ｂ      基端部
１５              握り部
１６              先端
１７、１７ｂ      係止片
【図１】
2004182247.tif 000003
【図２】
2004182247.tif 000004
【図３】
2004182247.tif 000005
【図４】
2004182247.tif 000006
【図５】
2004182247.tif 000007
【図６】
2004182247.tif 000008
【図７】
2004182247.tif 000009
【図８】
2004182247.tif 000010
【図９】
2004182247.tif 000011